(57)【特許請求の範囲】
【請求項１】
複数のフックが着脱自在に固定され各フックに商品が吊り下げられる陳列立板部と、テスター品が陳列される陳列台部とを備え、上記陳列台部に取着用係合部を設け、上記陳列立板部から所定のフックを取り外したのちこのフックに吊り下げる商品に代えて上記陳列台部を着脱自在に取着する使用態様と、上記陳列台部を所定の被載置面に載置する使用態様とのいずれかの態様を選択しうるように構成し、上記陳列立板部に複数のフック取り付け穴を穿設し、これら各フック取り付け穴に上記フックを着脱自在に固定し、所定のフック取り付け穴の近傍に、上記陳列台部に設けた取着用係合部に着脱自在に係合する取着用被係合部を形成し、上記陳列立板部の上端縁部から、前方に向かって下向き傾斜状に延びたのち垂下する広告板を突設し、上記陳列立板部の下端縁部から前方に向かって下板を水平に突設し、上記陳列立板部の左右両側に側板を固定したことを特徴とする陳列棚装置。
【発明の詳細な説明】
【０００１】
【発明の属する技術分野】
本発明は、吊り下げタイプとしても載置タイプとしても使用することができる陳列棚装置に関するものである。
【０００２】
【従来の技術】
従来から、各種の化粧料容器やその見本品等を店頭等に陳列する際には、吊り下げタイプの陳列棚や載置タイプ（例えば、平置きタイプ）の陳列棚がよく使用されている。上記吊り下げタイプの陳列棚３０としては、例えば、図１６に示すように、上端部に左右一対の穴部３１ａを穿設した吊り下げ用背板部３１と、この吊り下げ用背板部３１に設けた複数段（図１６に示す例では、上下２段）の陳列用棚部３２とを備え、上記両穴部３１ａに架設した紐等（図示せず）により吊り下げ用背板部３１を陳列壁のフック等（図示せず）に吊り下げるようにしたものがある。図において、３３は口紅等のテスター品であり、両陳列用棚部３２に穿設した穴部３２ａに挿通されて陳列される。また、上記平置きタイプの陳列棚３５としては、例えば、図１７に示すように、複数段（図１７に示す例では、上下４段）のひな壇形に形成されたものがある。この陳列棚３５では、各段の上面に穿設した穴部３５ａに口紅等のテスター品３３が挿通されて陳列される。
【０００３】
【発明が解決しようとする課題】
しかしながら、店頭等での陳列スペースや他の陳列品等との関係で、テスター品３３を吊り下げて陳列する場合もあり、また、平置きにして陳列する場合もあり、このため、両場合に備えて、吊り下げタイプの陳列棚３０と平置きタイプの陳列棚３５とを用意しておく必要がある。このように、２種類の陳列棚３０，３５を用意しておく場合には、保管用に広いスペースが必要になるうえ、管理面が複雑化する。しかも、２種類の陳列棚３０，３５を製造しなければならず、製造コストがアップする。
【０００４】
本発明は、このような事情に鑑みなされたもので、保管用に広いスペースが必要でなく、また、管理面が簡単で、しかも、製造コストが安価な陳列棚装置の提供をその目的とする。
【０００５】
【課題を解決するための手段】
上記の目的を達成するために、本発明の陳列棚装置は、複数のフックが着脱自在に固定され各フックに商品が吊り下げられる陳列立板部と、テスター品が陳列される陳列台部とを備え、上記陳列台部に取着用係合部を設け、上記陳列立板部から所定のフックを取り外したのちこのフックに吊り下げる商品に代えて上記陳列台部を着脱自在に取着する使用態様と、上記陳列台部を所定の被載置面に載置する使用態様とのいずれかの態様を選択しうるように構成し、上記陳列立板部に複数のフック取り付け穴を穿設し、これら各フック取り付け穴に上記フックを着脱自在に固定し、所定のフック取り付け穴の近傍に、上記陳列台部に設けた取着用係合部に着脱自在に係合する取着用被係合部を形成し、上記陳列立板部の上端縁部から、前方に向かって下向き傾斜状に延びたのち垂下する広告板を突設し、上記陳列立板部の下端縁部から前方に向かって下板を水平に突設し、上記陳列立板部の左右両側に側板を固定したという構成をとる。
【０００６】
すなわち、本発明の陳列棚装置は、複数のフックが着脱自在に固定され各フックに商品が吊り下げられる陳列立板部と、テスター品が陳列される陳列台部とを備えており、上記陳列台部に取着用係合部を設けている。そして、上記陳列立板部から所定のフックを取り外したのちこのフックに吊り下げる商品に代えて上記陳列台部を着脱自在に取着する使用態様を選択することも、また、上記陳列台部を所定の被載置面に載置する使用態様を選択することもできるようにしている。このように、本発明の陳列棚装置は、陳列立板部に陳列台部を取着した状態で陳列立板部を陳列壁のフック等に吊り下げることにより、陳列台部を吊り下げタイプとしても使用することができ、また、陳列台部を所定の被載置面に載置することにより、載置タイプとしても使用することができる。したがって、テスター品を商品と一緒に吊り下げて陳列する場合と、テスター品を載置して陳列する場合とに備える際にも、本発明の陳列棚装置を１種類だけ用意しておけばよく、保管用に広いスペースが必要でなくなるうえ、管理面が簡単になる。しかも、本発明の陳列棚装置を１種類だけ製造すればよく、製造コストが安価になる。しかも、陳列台部を吊り下げタイプとして使用する場合には、テスター品を商品と一緒に陳列することができ、陳列効果に優れる。しかも、陳列立板部に陳列台部を配設する場合には、陳列立板部から所定のフックを取り外したのちこのフックに吊り下げる商品に代えて陳列台部を取着することを行うため、陳列台部を配設するための余分のスペースを陳列立板部に設ける必要がない。なお、本発明では、陳列立板部を陳列壁のフック等に吊り下げて使用する以外にも、陳列壁に立て掛けて使用する等、各種の態様で使用することができる。
【０００７】
本発明では、上記陳列立板部に複数のフック取り付け穴を穿設し、各フック取り付け穴にフックを着脱自在に固定し、所定のフック取り付け穴の近傍に、上記陳列台部に設けた取着用係合部に着脱自在に係合する取着用被係合部を形成したため、フックの取り付け・取り外し作業と陳列台部の取り付け・取り外し作業がそれぞれ近傍で行え、作業がしやすい。
【０００８】
本発明では、上記陳列立板部の上端部から前方に向かって下向き傾斜状に延びる広告板が設けられているため、上記広告板により、陳列立板部の上方から落下した他物が商品等に衝突等するのを防ぐことができる。
【０００９】
【発明の実施の形態】
つぎに、本発明の実施の形態を図面にもとづいて説明する。
【００１０】
図１〜図６は本発明の陳列棚装置の一実施の形態を示している。これらの図において、１は陳列立板部であり、２は陳列台部である。この実施の形態では、上記陳列立板部１と陳列台部２を、図１〜図３に示すような吊り下げタイプの使用態様にして使用することも、図４〜図６（図５及び図６では、陳列台部２を図示せず）に示すような平置きタイプの使用態様にして使用することもできる。図１および図４において、９は上記陳列立板部１の上端部に架設した紐であり、陳列壁（被吊り下げ体）のフック等（図示せず）に吊り下げられる。
【００１１】
上記陳列立板部１は、平板状に形成された紙製シート体からなり、図７および図８に示すように、その下部に左右方向に等間隔をあけて５つのフック取り付け穴１ａ（図９参照）が矩形状に穿設され、各フック取り付け穴１ａにフック１１が着脱自在に固定されている。そして、これら各フック１１に、ウォータープルーフ（水，汗に崩れない）リクイドファンデーションの収容容器２１を紙製シート体２２に透明フィルム２２ａで包装してなる包装体（商品）２３が吊り下げられている。また、上記陳列立板部１には、その中央部に左右方向に３つのフック取り付け穴１ａが矩形状に穿設され、その上部に左右方向に等間隔をあけて３つのフック取り付け穴１ａが矩形状に穿設されており、各フック取り付け穴１ａにフック１１が着脱自在に固定されている。そして、これら各フック１１に、ウォータープルーフ固形ファンデーションの収容容器２４を紙製シート体２５に透明フィルム２５ａで包装してなる包装体（商品）２６が吊り下げられている。
【００１２】
上記各フック１１は、図９に示すように、前端部が上方に折れ曲がるＬ字状の支受部１２と、この支受部１２の後端部に形成される（上記各フック取り付け穴１ａより大きい）矩形状の平板部１３と、この平板部１３の後面から突設される上下一対のＬ字片１４，１５とからなり、これら両Ｌ字片１４，１５のうち、下側Ｌ字片１４は、その下向き縦片１４ａと平板部１３との間に上記陳列立板部１（詳しく説明すると、各フック取り付け穴１ａの下側部分）を挟むことができる寸法に形成されている。また、上側Ｌ字片１５は、その上向き縦片１５ａと平板部１３との間に上記陳列立板部１（詳しく説明すると、各フック取り付け穴１ａの上側部分）と固定片１６とを挟むことができる寸法に形成されている。また、上記両Ｌ字片１４，１５の上下幅および左右幅は、上記陳列立板部１の各フック取り付け穴１ａを挿通しうる寸法に形成されている。そして、このような平板部１３，両Ｌ字片１４，１５が各フック取り付け穴１ａに固定片１６により固定されている。
【００１３】
上記陳列立板部１の各フック取り付け穴１ａに各フック１１を固定する場合には、まず、各フック取り付け穴１ａに各フック１１の両Ｌ字片１４，１５を挿通させ（図１０参照）、つぎに、下側Ｌ字片１４の下向き縦片１４ａと平板部１３との間に各フック取り付け穴１ａの下辺を位置決めし、その状態で各フック１１を下降させる。これにより、下側Ｌ字片１４の下向き縦片１４ａと平板部１３とに陳列立板部１（の上記下側部分）を挟むことができる。そののち、陳列立板部１（の上記上側部分）と上側Ｌ字片１５の上向き縦片１５ａとの間に固定片１６を差し込み、この固定片１６を剥離自在な粘着テープ１７で陳列立板部１（の上記上側部分）に貼着，固定することを行う。一方、上記陳列立板部１の各フック取り付け穴１ａから各フック１１を取り外す場合には、上記手順とは逆の手順により行う。
【００１４】
上記陳列立板部１には、その中央部の右側に穿設されたフック取り付け穴１ａの左右両側に一対の横向き切り目１ｂ（取着用被係合部）が穿設されており（図７参照）、これら両横向き切り目１ｂに、後述する陳列台部２のフック７（取着用係合部）が着脱自在に係合している。
【００１５】
また、上記陳列立板部１には、その下端縁部から前方に向かって下板３が水平に突設されており、この下板３により、陳列立板部１の下側にある他物が各包装体２３，２６に接触等するのを防止している。また、上記陳列立板部１には、その上端縁部から前方に向かって下向き傾斜状に延びたのち垂下する広告板４が突設されており、この広告板４の傾斜状部分の前面に商品名，ＰＯＰ広告等が記載されている。そして、この広告板４により、陳列立板部１の上方から他物が落下して商品等に衝突等するのを防止している。また、上記陳列立板部１には、その左右両側に、椰子の木が印刷された側板５，６が接着，固定されている（図８参照。この図８では、左側の側板６は隠れて見えない）。
【００１６】
上記陳列台部２は、図１１〜図１５に示すように、２段に形成された棚段部分２ａと、左右両側板２ｂと、後側板２ｃとを備えており、この後側板２ｃの後面に、上記陳列立板部１の両横向き切り目１ｂに着脱自在に係合する左右一対のフック７が突設されている。上記棚段部分２ａの下段部分には、５つの収容穴１８が穿設されており、各収容穴１８にウォータープルーフ固形ファンデーションのテスター品２７（試供用のウォータープルーフ固形ファンデーションを収容した皿）が粘着テープ等（図示せず）により収容，固定されている（図１５参照）。また、上記棚段部分２ａの上段部分には、５つの丸穴を一連に繋げてなる挿通穴１９が穿設されており、この挿通穴１９に５つのウォータープルーフリクイドファンデーションのテスター品２８（試供用のウォータープルーフリクイドファンデーションを収容した収容容器）が挿通，載置されている（図１５参照）。
【００１７】
上記構成において、陳列台部２を平置きにして陳列する平置きタイプの使用態様（図４参照）で使用する場合には、陳列立板部１を陳列壁のフック等に紐９で吊り下げ、陳列立板部１の各フック１１に各包装体２３，２６を吊り下げる。また、陳列台部２に各テスター品２７，２８を陳列し、所定の載置面（図示せず）に載置する。一方、陳列台部２を陳列立板部１に固定して陳列する吊り下げタイプの使用態様（図１参照）で使用する場合には、上記の平置きタイプの使用態様において、陳列立板部１から中央部の右側のフック１１を包装体２６とともに取り外したのち、陳列台部２を持ち上げ、この陳列台部２の両フック７を陳列立板部１の両横向き切り目１ｂに係合させる。
【００１８】
このように、上記実施の形態では、陳列台部２を吊り下げタイプとしても平置きタイプとしても使用することができるため、その保管用に広いスペースを必要としないうえ、管理面が簡単化する。また、製造コストが安価になる。しかも、陳列台部２を吊り下げタイプとして使用する場合には、各テスター品２７，２８と各包装体２３，２６とを一緒に陳列することができ、陳列効果に優れる。しかも、陳列立板部１に、陳列台部２を配設するための余分のスペースを設ける必要がない。
【００１９】
なお、上記実施の形態では、陳列台部２にファンデーション用のテスター品２７，２８を載置しているが、陳列台部２に穴部を穿設し、この穴部に口紅等のテスター品３３（図１６および図１７参照）を挿通して陳列することもできる。
【００２０】
また、上記実施の形態では、１つのフック取り付け穴１ａの左右両側にだけ横向き切り目１ｂを穿設しているが、複数のフック取り付け穴１ａの左右両側に横向き切り目１ｂを穿設するようにしてもよい。
【００２１】
【発明の効果】
以上のように、本発明の陳列棚装置によれば、陳列立板部に陳列台部を取着した状態で陳列立板部を陳列壁のフック等に吊り下げることにより、陳列台部を吊り下げタイプとしても使用することができ、また、陳列台部を所定の被載置面に載置することにより、載置タイプとしても使用することができる。したがって、テスター品を商品と一緒に吊り下げて陳列する場合と、テスター品を載置して陳列する場合とに備える際にも、本発明の陳列棚装置を１種類だけ用意しておけばよく、保管用に広いスペースが必要でなくなるうえ、管理面が簡単になる。しかも、本発明の陳列棚装置を１種類だけ製造すればよく、製造コストが安価になる。しかも、陳列台部を吊り下げタイプとして使用する場合には、テスター品を商品と一緒に陳列することができ、陳列効果に優れる。しかも、陳列立板部に陳列台部を配設する場合には、陳列立板部から所定のフックを取り外したのちこのフックに吊り下げる商品に代えて陳列台部を取着することを行うため、陳列台部を配設するための余分のスペースを陳列立板部に設ける必要がない。
【００２２】
本発明では、上記陳列立板部に複数のフック取り付け穴を穿設し、各フック取り付け穴にフックを着脱自在に固定し、所定のフック取り付け穴の近傍に、上記陳列台部に設けた取着用係合部に着脱自在に係合する取着用被係合部を形成したため、フックの取り付け・取り外し作業と陳列台部の取り付け・取り外し作業がそれぞれ近傍で行え、作業がしやすい。
【００２３】
本発明では、上記陳列立板部の上端部から前方に向かって下向き傾斜状に延びる広告板が設けられているため、上記広告板により、陳列立板部の上方から落下した他物が商品等に衝突等するのを防ぐことができる。
【図面の簡単な説明】
【図１】本発明の陳列棚装置の一実施の形態を示す斜視図である。
【図２】上記陳列棚装置を示す正面図である。
【図３】上記陳列棚装置を示す側面図である。
【図４】上記陳列棚装置の平置きタイプの使用態様を示す斜視図である。
【図５】上記陳列棚装置を示す正面図である。
【図６】上記陳列棚装置を示す側面図である。
【図７】陳列立板部の正面図である。
【図８】上記陳列立板部の側面図である。
【図９】フックの取り付け状態を示す断面図である。
【図１０】フックの取り付け方法を示す断面図である。
【図１１】陳列台部の側面図である。
【図１２】上記陳列台部の正面図である。
【図１３】上記陳列台部の上面図である。
【図１４】上記陳列台部の背面図である。
【図１５】上記陳列台部の断面図である。
【図１６】従来例の吊り下げタイプの陳列棚を示す斜視図である。
【図１７】従来例の平置きタイプの陳列棚を示す斜視図である。
【符号の説明】
１  陳列立板部
２  陳列台部
１１  フック
２３，２６  包装体
２７，２８  テスター品
【図１】
0003710685.tif 000002
【図２】
0003710685.tif 000003
【図３】
0003710685.tif 000004
【図４】
0003710685.tif 000005
【図５】
0003710685.tif 000006
【図６】
0003710685.tif 000007
【図７】
0003710685.tif 000008
【図８】
0003710685.tif 000009
【図９】
0003710685.tif 000010
【図１０】
0003710685.tif 000011
【図１１】
0003710685.tif 000012
【図１２】
0003710685.tif 000013
【図１３】
0003710685.tif 000014
【図１４】
0003710685.tif 000015
【図１５】
0003710685.tif 000016
【図１６】
0003710685.tif 000017
【図１７】
0003710685.tif 000018